(57)【要約】【課題】ミストが希薄状態になるのを防止し、またミストの吐出方向を制御することのできる空気清浄機を提供すること。【解決手段】吸引された空気を清浄化するフィルタ９と、ミストを生成する静電霧化装置２２ａとを備えた空気清浄機１において、フィルタ９によって清浄化された空気を空気清浄機１の本体ケース２に設けた第１の吐出口１２から外部へ吐出させる第１の送風手段１３と、静電霧化装置２２ａで生成されたミストを含む空気を第１の吐出口１２と異なる方向に開口する第２の吐出口２３から外部へ吐出させる第２の送風手段２２ｂとを有し、第２の送風手段２２ｂを、第１の送風手段１３とは独立して制御するように構成した。【選択図】図１
2011177207.tif 000002
【特許請求の範囲】
【請求項１】
吸引された空気を清浄化するフィルタと、ミストを生成する静電霧化装置とを備えた空気清浄機において、
前記フィルタによって清浄化された空気を前記空気清浄機の本体ケースに設けた第１の吐出口から外部へ吐出させる第１の送風手段と、
前記静電霧化装置で生成されたミストを含む空気を前記第１の吐出口と異なる方向に開口する第２の吐出口から外部へ吐出させる第２の送風手段とを有し、
前記第２の送風手段を、前記第１の送風手段とは独立して制御するように構成したことを特徴とする空気清浄機。
【請求項２】
前記第２の吐出口から吐出するミストを含む空気流を偏向させる気流偏向手段を設けたことを特徴とする請求項１記載の空気清浄機。
【請求項３】
前記気流偏向手段は、前記静電霧化装置及び第２の送風手段の両者の姿勢を変え、又は前記第２の送風手段の姿勢を変えることを特徴とする請求項２記載の空気清浄機。
【請求項４】
前記気流偏向手段は、前記第２の吐出口にルーバーを設けたことを特徴とする請求項２記載の空気清浄機。
【請求項５】
前記第２の吐出口を異なる方向に複数設け、これら複数の第２の吐出口に前記静電霧化装置及び第２の送風手段をそれぞれ配置し、ミストを含む空気を互いに異なる方向に吐出させることを特徴とする請求項１記載の空気清浄機。
【請求項６】
前記複数の静電霧化装置及び第２の送風手段の全部又は一部に、前記請求項３又は４記載の気流偏向手段を用いたことを特徴とする請求項５記載の空気清浄機。
【請求項７】
前記複数の第２の吐出口から吐出したミストを含む空気が前記第１の吐出口から吐出した空気と交差するように構成したことを特徴とする請求項５又は６記載の空気清浄機。
【請求項８】
前記複数の第２の吐出口から吐出したミストを含む空気の一部が交差するように構成したことを特徴とする請求項５〜７のいずれかに記載の空気清浄機。
【請求項９】
前記フィルタで清浄化された空気の一部を前記本体ケースに設けた加湿手段を通過させて加湿させることを特徴とする請求項１〜８のいずれかに記載の空気清浄機。
【発明の詳細な説明】
【技術分野】
【０００１】
本発明は、室内空気の微細浮遊物の捕集、脱臭を行うことのできる空気清浄機に係り、特に、静電霧化技術を利用してミストの希薄状態を防止し、また、ミストの吐出方向を制御することのできる空気清浄機に関するものである。
【背景技術】
【０００２】
従来の、吸込み口から吸い込んだ空気をフィルタで浄化して吐出口から吐出させる送風部を有する空気清浄機において、水溜め部と、この水溜め部の水を水溜め部の外部に位置する先端部側へ毛細管現象で搬送する搬送部と、この搬送部の先端の水を霧化して活性種を含むナノメータサイズのミストを発生させるための高電圧を印加する高電圧印加部とを備えた静電霧化装置を設け、吸込み口から吐出口に至る風路内のフィルタの下流側に搬送部を設けたものがある（例えば、特許文献１参照）。
【０００３】
また、上記の静電霧化装置を設けた空気清浄機において、搬送部が、送風部により送風される空気流が直接当るのを防止するための壁面を隔てた位置に設けられ、この壁面を隔てて設けた搬送部の先端の水に高電圧を印加することで発生したミストを吸込み口から吐出口に至る風路を流れる空気流により誘引するための開口部が、フィルタよりも下流側であって風路の途中又は吐出口と併設して設けたものがある（例えば、特許文献２参照）。
【０００４】
さらに、毛細管現象によって水を搬送する水搬送部と、水搬送部に水を供給する水供給部と、水搬送部が搬送する水に対して電圧を印加する印加電極と、印加電極に高電圧を印加することで水搬送部の先端部で水を霧化させる高電圧印加部とを備えた静電霧化装置において、上記水供給部が、吸熱面及び放熱面を有するとともに吸熱面上で空気を冷却して結露水を生成する熱交換部を有し、この熱交換部の放熱面側を通って熱を奪う空気の流路を、吸熱面側を通る空気の流路とは別に形成し、水搬送部を吸熱面側を通る空気の流路中に位置させたものがある（例えば、特許文献３参照）。
【０００５】
また、ピコメートルサイズの小径ミストを発生させる静電霧化装置を備え、清浄化された空気を外部に吐出する吐出口と、上記のミストを外部に吐出する吐出口とを同一風路内に設けることにより、送風用ファンより発生する風にミストを乗せやすく、またミストを遠くまで運ぶことにより、除菌、脱臭効果より顕著に得られるようにした空気清浄機がある（例えば、特許文献４参照）。
【先行技術文献】
【特許文献】
【０００６】
【特許文献１】特許第４００３８３５号公報（第３−５頁、図１，図２）
【特許文献２】特許第４００４４３７号公報（第３−５頁、図１，図２）
【特許文献３】特許第３９８００５１号公報（第７頁、図１３）
【特許文献４】特開２００９−５７８２号公報（第４−６頁、図３）
【発明の概要】
【発明が解決しようとする課題】
【０００７】
特許文献１の空気清浄機は、吐出口の上流側において、清浄化された空気の気流であるメイン気流とミストとが合流するようになっているため部屋中に拡散してしまい、ミストが希薄状態になってミストによる効果が大幅に減衰してしまうという問題があった。
【０００８】
また、特許文献２の空気清浄機は、誘引する風の風量や風速は、空気清浄機が行うメイン気流の制御に支配されるので、ミストの放出量を任意に制御することができないという問題がある。
【０００９】
さらに、特許文献３の静電霧化装置は、吸熱面側を通る空気の流路と放熱面側を通るメイン空気の流路とを別々に形成して吹出し口から排出するようにしているので、メイン空気の流路によりミストの放出方向が制限されてしまうという問題がある。
【００１０】
また、特許文献４の空気清浄機は、清浄化された空気を外部に吐出する吐出口と、ミストを吐出する吐出口とを同一風路内に設けたので、メイン気流とミストが合流して部屋中に拡散してしまい、ミストが希薄状態になってミストによる効果が大幅に減衰してしまうという問題がある。
【００１１】
本発明は、上記の課題を解決するためになされたもので、ミストが希薄状態になるのを防止し、また、ミストの吐出方向を制御することのできる空気清浄機を提供することを目的としたものである。
【課題を解決するための手段】
【００１２】
本発明は、吸引された空気を清浄化するフィルタと、ミストを生成する静電霧化装置とを備えた空気清浄機において、前記フィルタによって清浄化された空気を前記空気清浄機の本体ケースに設けた第１の吐出口から外部へ吐出させる第１の送風手段と、前記静電霧化装置で生成されたミストを含む空気を前記第１の吐出口と異なる方向に開口する第２の吐出口から外部へ吐出させる第２の送風手段とを有し、前記第２の送風手段を、前記第１の送風手段とは独立して制御するように構成したものである。
【発明の効果】
【００１３】
本発明によれば、ミストを含む空気を第１の吐出口とは異なる方向に開口した第２の吐出口から吐出させると共に、第２の送風手段を第１の送風手段と独立して制御するように構成したので、第１の吐出口から吐出する空気と合流してミストが希薄化することがなく、所望の風量で高濃度のミストを供給することができる。
また、気流偏向手段によりミストを含む空気の吐出方向を制御することにより、より広範囲に高濃度のミストを供給することができる。
【図面の簡単な説明】
【００１４】
【図１】本発明の実施の形態１に係る空気清浄機の縦断面図である。
【図２】図１のＸ−Ｘ断面図である。
【図３】図１の正面外観図である。
【図４】実施の形態１の作用説明図である。
【図５】本発明の実施の形態２に係る空気清浄機の要部の断面図である。
【図６】図５の静電霧化送風装置の気流偏向手段の説明図である。
【図７】本発明の実施の形態３に係る空気清浄機の要部の断面図である。
【図８】図７の静電霧化送風装置の気流偏向手段の説明図である。
【図９】本発明の実施の形態４に係る空気清浄機の要部の断面図である。
【図１０】実施の形態４の作用説明図である。
【図１１】本発明の実施の形態５に係る空気清浄機の要部の断面図である。
【図１２】本発明の実施の形態６に係る空気清浄機の要部の断面図である。
【発明を実施するための形態】
【００１５】
［実施の形態１］
本発明の実施の形態１に係る空気清浄機を説明するための図１〜図４において、空気清浄機１の外郭を構成する本体ケース２の前面側には、前面から背面側に後退した位置に、天板を有する前面板３が設けられており、前面板３の前面側には給水タンク１７が収容される凹状の水タンク室５が形成されている。
また、本体ケース２の天板の前面側上部には、使用者が電源スイッチや風量調整等の操作を行うための操作手段を有する操作部ボックス６が設けられており、操作部ボックス６を含む本体ケース２の前面側には開閉又は着脱可能な前扉７が設けられている。
【００１６】
また、本体ケース２の背面板４の背面側には、複数の穴を有する例えば格子状の第１の吸込み口８が設けられており、第１の吸込み口８の下流側（本体ケース２の背面板４との間）には、集塵機能、脱臭機能を有し、また、集塵した塵埃等に対して抗菌、抗アレルゲン、抗ウィルス等の機能が付加された複数のフィルタからなるフィルタ群９が設置されている。なお、このフィルタ群９は、単体で構成してもよい。
【００１７】
１０は本体ケース２の前後方向のほぼ中央部において、底部より上方から天板にかけて設けられた隔壁で、この隔壁１０と背面板４との間には、背面板４に設けた第１の開口部４ａを介して第１の吸込み口８と連通する第１の風路１１が設けられており、本体ケース２の天板に設けた第１の吐出口１２と連通している。１３は第１の風路１１内に設置された第１の送風手段である送風機で、操作部ボックス６に設けた操作手段や遠隔操作リモコンによって回転数を制御することにより、第１の吐出口１２から吹き出す空気流の風量や風速を任意に調節することができ、これにより、使用者が空気清浄能力を適宜選択することができる。
【００１８】
１４は本体ケース２の前面板３と隔壁１０との間に形成された第２の風路で、下部は本体ケース２の下部に設けた加湿手段を構成する加湿室１５を介して背面板４に設けた第２の開口部４ｂと連通しており、上部は隔壁１０に設けた開口部１０ａを介して第１の風路１１と連通している。
【００１９】
２０は本体ケース２の天板、前面板３の天板及び隔壁１０に囲まれて形成された前面側に開口部２１を有するミスト生成室で、内部には、静電霧化装置２２ａと第２の送風手段である小形の送風機２２ｂとからなる静電霧化送風装置２２が設置されており、前扉７にはミスト生成室２０の開口部２１と連通する第２の吐出口２３が設けられている。なお、このミスト生成室２０は、前面板３の天板に設けた第２の吸込み口１６を介して水タンク室５と連通しており、本体ケース２と前扉７との隙間から第２の吸込み口１６を介して外気を取り込むようになっている。
【００２０】
そして、静電霧化送風装置２２の第２の送風手段２２ｂは、操作部ボックス６に設けた操作手段により、第１の送風手段１３とは独立して制御されるようになっている。
【００２１】
２５は本体ケース２の底部に設けた加湿室１５内に設置された水受け容器で、フィルタ２６を介して給水タンク１７に連結されている。２７は水受け容器２５内に設置され、一部が水受け容器２５内の水に浸漬された加湿フィルタである。
【００２２】
次に、上記のように構成した本実施の形態に係る空気清浄機１の作用について説明する。
操作部ボックス６の電源スイッチをＯＮすると第１の送風手段１３が駆動され、これによって第１の吸込み口８から吸引された室内の空気Ａは、フィルタ群９によって清浄化されたのち第１の開口部４ａを経て第１の風路１１へ送られ、空気流Ｃとなって第１の吐出口１２から上方に向って吐出される。
【００２３】
また、第１の吸込み口８から吸引された一部の空気Ｂは、本体ケース２の背面板４の下部に設けた第２の開口部４ｂから加湿室１５内に流入し、加湿フィルタ２７に接触して加湿され、第２の風路１４を経て隔壁１０の開口部１０ａから第１の風路１１に流入し、空気流Ｃと合流して第１の吐出口１２から吐出される（以下、この空気流Ｃをメイン空気流と記すことがある）。
【００２４】
一方、電源スイッチをＯＮすると、静電霧化送風装置２２が駆動されてミストが生成され、第２の吸込み口１６から供給された空気Ｄと合流してミストを含む空気流Ｅとなり、メイン空気流Ｃの影響を受けることなく、高い濃度のミストを含む空気流Ｅを第２の吐出口２３から前方に向って吐出する。
【００２５】
本実施の形態においては、メイン空気流Ｃを吐出する第１の吐出口１２は本体ケース２の上方に、ミストを含む空気流Ｅを吐出する第２の吐出口２３は本体ケース２の前方に、互いに異なる方向に設けたので、ミストを含む空気流Ｅはメイン空気流Ｃの影響を受けることなく室内に吐出すことができ、また、第２の送風手段２２ｂは、第１の送風手段とは独立して制御するようにしたので、ミストが希薄化することもなく、室内に高濃度のミストを供給することができる。
【００２６】
［実施の形態２］
図５は本発明の実施の形態２に係る空気清浄装置の要部の断面図（図１のＸ−Ｘ断面に対応）、図６は図５の静電霧化送風装置の気流偏向手段の説明図である。なお、実施の形態１と同じ部分には、これと同じ符号が付してある。
本実施の形態は、ミスト生成室２０に設けた静電霧化送風装置２２の姿勢を自動的に変化させることにより、ミストを含む空気流Ｅの吐出方向の範囲を広げて広範囲に高濃度のミストを含む空気流Ｅを吐出させるようにしたものである。
【００２７】
図５、図６において、３０はミスト生成室３０内に設けられた、静電霧化送風装置２２によるミストを含む空気流Ｅを偏向させるための気流偏向手段で、正逆回転可能で独立して制御される駆動手段（モータ）３１と、その出力軸に設けた第１の歯車３２と、静電霧化送風装置２２の連結軸に設けられて、第１の歯車３２と噛合う第２の歯車３３とからなっている。
【００２８】
上記のように構成した本実施の形態に係る空気清浄機において、ミスト生成室２０内のモータ３１を駆動しない通常の場合は、静電霧化送風装置２２は、図５に実線で示すように中央位置にあり、電源スイッチをＯＮすると、実施の形態１の場合と同様に、メイン空気流Ｃは第１の吐出口１２から上方に向って吐出し、ミストを含む空気流Ｅは、第２の吐出口２３から前面側に向って吐出する。
【００２９】
次に、操作部ボックス６に設けたモータ３１の操作スイッチをＯＮして、ミスト生成室２０内のモータ３１に通電すると、モータ３１は正方向又は逆方向に回転し、歯車３２，３３を介して静電霧化送風装置２２を、図５に破線で示すように、第２の吐出口２３の開口範囲に合わせて、ａ又はｂ方向に回動して姿勢を変更する。
【００３０】
これにより、ミストを含む空気流Ｅは、ａ方向又はｂ方向に偏向して第２の吐出口２３から吹出し、濃度の高いミストを室内の広い範囲にわたって供給することができる。
この場合、本体ケース２内に人感センサを設置し、この人感センサにより人が存在する方向を判別して、静電霧化送風装置２２を自動的に人のいる方向に向けることにより、ミストを必要とする人に濃度の高いミストを集中的に供給するようにしてもよい。
【００３１】
上記の説明では、静電霧化装置２２ａと第２の送風手段２２ｂとを一体に構成した場合を示したが、両者を別体に構成し、第２の送風手段２２ｂの姿勢を変化させてこの第２の送風手段２２ｂが生成する空気流を偏向させ、この偏向した空気流が第２の吐出口２３から吐出するまでの間に静電霧化装置２２ａを配置すれば、この静電霧化装置２２ａで生成されたミストを含む空気流Ｅの吐出方向を偏向させることができる。
このように構成することにより、第２の送風手段２２ｂは静電霧化装置２２ａと一体に構成した場合に比べて軽量になり、駆動手段を小形化すると共に駆動電力を低減することができる。
【００３２】
本実施の形態によれば、実施の形態１の場合とほぼ同様の効果を得ることができ、さらに、ミストを含む空気流Ｅの吐出方向を広範囲に偏向しうるように構成したので、ミストを必要とする人に高濃度のミストを集中的に供給することができる。
【００３３】
［実施の形態３］
図７は本発明の実施の形態３に係る空気清浄装置の要部の断面図（図１のＸ−Ｘ断面に対応）、図８は図７の静電霧化送風装置の気流偏向手段の説明図である。なお、実施の形態１と同じ部分には、これと同じ符号が付してある。
本実施の形態は、ミスト生成室２０の前面側に設けた開口部２１及び第２の吐出口２３（以下、両者を合せて第２の吐出口２３という）に、ミストを含む空気流Ｅの吐出方向を偏向させるルーバー３５からなる気流偏向手段３０を設けたものである。
【００３４】
ルーバー３５は、図８に示すように、複数のフィン３６ａ〜３６ｃ（以下、単に３６と記すことがある）の一端を固定軸３７にそれぞれ回動自在に軸支すると共に、その上部を可動軸３８にそれぞれ回動自在に軸支したものである。３９は前扉７の前面側に設けられて、ルーバー３５のいずれかのフィン（例えば、第１のフィン３６ａ）に連結された操作レバーである。
【００３５】
上記のように構成したルーバー３５において、操作レバー３９を手動により例えば矢印ｃ方向に操作すると、これと連結された第１のフィン３６ａはその下端部を支点として、破線で示すように矢印ｄ方向に回動し、可動軸３８で連結された他のフィン３６ｂ，３６ｃもそれぞれ下端部を支点として矢印ｄ方向に回動する。
操作レバー３９を反矢印ｃ方向に操作すれば、各フィン３６はそれぞれ反矢印ｄ方向に回動する。
【００３６】
本実施の形態においては、ルーバー３５は通常はフィン３６が中央の実線の位置（中立位置）にあり、ミストを含む空気流Ｅは正面に向って吐出される。
操作レバー３９を手動により矢印ｃ方向又は反矢印ｃ方向に操作すると、フィン３６は矢印ｄ方向又は反矢印ｄ方向に回動し、ミストを含む空気流Ｅをフィン３６に沿って偏向して吐出させることができるので、使用者はこの空気流Ｅを任意の方向に偏向させることができる。
【００３７】
本実施の形態において、ルーバー３５に、例えば、図６に示すような、正逆回転可能で独立して制御される駆動手段３１（モータ）を装備すれば、自動的にルーバー３５が操作されて、ミストを含む空気流Ｅの吐出方向を偏向させることができる。
本実施の形態によれば、実施の形態１の場合とほぼ同様の効果を得ることができるが、さらに静電霧化送風装置２２を移動させることなく、簡単な構造でミストを任意の方向に偏向させることができる。
【００３８】
［実施の形態４］
図９は本発明の実施の形態４に係る空気清浄装置の要部の断面図（図１のＸ−Ｘ断面に対応）である。なお、実施の形態１と同じ部分には、これと同じ符号が付してある。
本実施の形態は、実施の形態１のミスト生成室２０と同じような構成のミスト生成室２０に複数（図には３個の場合が示してある）の静電霧化送風装置２２を設けたものである。
【００３９】
本実施の形態におけるミスト生成室２０においては、実施の形態１の場合と同様に、幅方向のほぼ中央部に第１の静電霧化送風装置２２Ｃが配置されており、さらに左右の両側壁と対向して第２、第３の静電霧化送風装置２２Ｌ，２２Ｒを設けたもので、ミスト生成室２０及び本体ケース２の側壁には、この第２、第３の静電霧化送風装置２２Ｌ，２２Ｒに対向して、第３、第４の吐出口２３ａ，２３ｂが設けられている（以下、これら複数の静電霧化送風装置２２Ｃ，２２Ｌ，２２Ｒを一括して２２と記すことがあり、また、第２、第３、第４の吐出口２３，２３ａ，２３ｂを一括して第２の吐出口２３，２３ａ，２３ｂと記すことがある）。
【００４０】
本実施の形態によれば、複数の静電霧化送風装置２２Ｃ，２２Ｌ，２２Ｒを駆動することにより、互いに干渉することなく、前面及び両側面から高濃度のミストを含む空気流Ｅを吐出して、部屋の全域に亘って広範囲にミストを含む空気流Ｅを供給することができる。なお、静電霧化送風装置２２，２２Ｌ，２２Ｒをそれぞれ独立して制御できるように構成すれば、必要な静電霧化送風装置２２だけを駆動して、所望の方向にミストを含む空気流Ｅを吐出させることができる。
【００４１】
この場合、第１の吐出口１２からはメイン空気流Ｃが上方に向って、第２の吐出口２３〜２３ｂからはミストを含む空気流Ｅが前面及び両側面に向って吐出されるが、さらに、図１０に示すように、ミストを含む空気流Ｅの一部がメイン空気流Ｃに誘引されてミストを含むメイン空気流Ｆとなり、部屋の全域に亘って高濃度のミストを供給することができる（以下の実施の形態においても同様である）。
【００４２】
本実施の形態によれば、実施の形態１の場合とほぼ同様の効果を得ることができ、さらに、前面及び左右の両側面と広範囲に亘ってミストを供給することができる。
【００４３】
［実施の形態５］
図１１は本発明の実施の形態５に係る空気清浄装置の要部の断面図（図１のＸ−Ｘ断面に対応）である。なお、実施の形態１，２及び４と同じ部分には、これと同じ符号が付してある。
本実施の形態は、駆動手段３１（モータ）によって静電霧化送風装置２２を回動するように構成した実施の形態２において、ミスト生成室２０にさらに複数の静電霧化送風装置２２Ｌ，２２Ｒを設けたものである。
【００４４】
本実施の形態においては、ミスト生成室２０の幅方向のほぼ中央部に、実施の形態２の場合と同様に、モータ３１によって回動される第１の静電霧化送風装置２２Ｃを設けると共に、左右の両側壁に対向して第２、第３の静電霧化送風装置２２Ｌ，２２Ｒを設けたものである。
【００４５】
本実施の形態によれば、第１の静電霧化送風装置２２Ｃを回動させることにより、ミストを含む空気流Ｆを偏向させて、第２の吐出口２３から前面側に広範囲に亘って吐出させると共に、第２、第３の静電霧化送風装置２２Ｌ，２２Ｒにより、左右の側面からミストを含む空気流を吐出させることができるので、部屋の全域にわたってミストを供給することができる。
【００４６】
さらに、第１〜第３の静電霧化送風装置２２Ｃ，２２Ｌ，２２Ｒで生成され、第２〜第４の吐出口２３，２３ａ，２３ｂから吐出したミストを含む空気流Ｅは、その一部が交差（重畳）して、より高濃度のミストを含む空気流Ｇとなり、図１０で示したミストを含むメイン空気流Ｆと相俟って、部屋の隅々まで高濃度のミストを供給することができる。
【００４７】
上記の説明では、第２、第３の静電霧化送風装置２２Ｌ，２２Ｒを固定した場合を示したが、第１の静電霧化送風装置２２Ｃのように回動可能に構成してミストを含む空気流Ｅを偏向しうるように構成すれば、ミストを広範囲に亘ってより効果的に供給することができる。
【００４８】
［実施の形態６］
図１２は本発明の実施の形態６に係る空気清浄装置の要部の断面図（図１のＸ−Ｘ断面に対応）である。なお、実施の形態１，３及び４と同じ部分には、これと同じ符号が付してある。
本実施の形態は、ルーバー３５により静電霧化送風装置２２からのミストを含む空気流Ｅを偏向させるように構成した実施の形態３において、ミスト生成室２０にさらに複数の静電霧化送風装置２２Ｌ，２２Ｒを設けたものである。
【００４９】
本実施の形態においては、ミスト生成室２０の幅方向のほぼ中央部に第１の静電霧化送風装置２２Ｃを設置し、その前面側の第２の吐出口２３に図８で説明したルーバー３５を設け、静電霧化送風装置２２Ｃで生成されたミストを含む空気流Ｅを、ルーバー３５により広範囲に偏向させると共に、第２、第３の静電霧化送風装置２２Ｌ，２２Ｒにより左右の側壁に設けた第３、第４の吐出口２３ａ，２３ｂからミストを含む空気流Ｅを吐出させるようにしたので、部屋の全域に亘ってミストを供給することができる。
【００５０】
さらに、第１〜第３の静電霧化送風装置２２Ｃ，２２Ｌ，２２Ｒで生成され、第２〜第４の吐出口２０，４０，４１から吐出したミストを含む空気流Ｅは、その一部が交差してより高濃度のミストを含む空気流Ｇとなり、図１０で説明したミストを含むメイン空気流Ｆと相俟って、室内の隅々まで高濃度のミストを供給することができる。
【００５１】
上記の説明では、第２、第３の静電霧化送風装置２２Ｌ，２２Ｒで生成されたミストを含む空気流Ｅを、そのまま第３、第４の吐出口２３ａ，２３ｂから吐出させる場合を示したが、第３、第４の吐出口２３ａ，２３ｂにも前述のルーバー３５を設けてミストを含む空気流Ｅを偏向させるようにしてもよい。
また、ルーバー３５に駆動手段（モータ）を装備して、ルーバー３５を自動的に操作しうるようにしてもよい。
【００５２】
上記の説明では、図示の空気清浄装置に本発明を実施した場合を示したが、これに限定するものではなく、例えば加湿手段が設けられていない空気清浄機など、他の構造の空気清浄機にも本発明を実施することができる。
【符号の説明】
【００５３】
１  空気清浄機、２  本体ケース、３  前面板、４  背面板、６  操作部ボックス、７  前扉、８  第１の吸込み口、９  フィルタ、１２  第１の吐出口、１３  第１の送風手段、１５  加湿室、１６  第２の吸込み口、２０  ミスト生成室、２２  静電霧化送風装置、２２ａ  静電霧化装置、２２ｂ  第２の送風手段、２３  第２の吐出口、３０  気流偏向手段、３１  モータ、３５  ルーバー。
【図１】
2011177207.tif 000003
【図２】
2011177207.tif 000004
【図３】
2011177207.tif 000005
【図４】
2011177207.tif 000006
【図５】
2011177207.tif 000007
【図６】
2011177207.tif 000008
【図７】
2011177207.tif 000009
【図８】
2011177207.tif 000010
【図９】
2011177207.tif 000011
【図１０】
2011177207.tif 000012
【図１１】
2011177207.tif 000013
【図１２】
2011177207.tif 000014